(57)【要約】【課題】清掃作業中に清掃シートが清掃具から外れる等の不都合を効果的に抑制できる清掃シートを提供すること。【解決手段】清掃シート１００は、清掃ヘッド３０を有する清掃具１０に取り付けられて使用される。清掃シート１００は、対向する一組の辺１２０ａ，１２０ｂを少なくとも有する形状の清掃基布１１１と、清掃基布１１１の一組の辺１２０ａ，１２０ｂの少なくとも一辺の延びる方向と同方向に延びるように配置された位置決め部材１２０ａ，１２０ｂとを有する。位置決め部材１２０ａ，１２０ｂは、清掃基布１１１よりも高剛性のものであり、かつ清掃基布１１１の厚み方向に向けて突出した突出部１２３を有する。突出部１２３は清掃ヘッド３０に着脱自在に係合可能になっている。【選択図】図１
2015116420.tif 000002
【特許請求の範囲】
【請求項１】
清掃ヘッドを有する清掃具に取り付けられて使用される清掃シートであって、
前記清掃シートは、対向する一組の辺を少なくとも有する形状の清掃基布と、該清掃基布の一組の辺の少なくとも一辺の延びる方向と同方向に延びるように配置された位置決め部材とを有し、
前記位置決め部材は、前記清掃基布よりも高剛性のものであり、かつ該清掃基布の厚み方向に向けて突出した突出部を有し、該突出部が清掃ヘッドに着脱自在に係合可能になっている清掃シート。
【請求項２】
前記位置決め部材が、前記清掃基布の第１面及び第２面のうちの該第１面に当接するように、前記清掃基布との結合部を有し、更に、該結合部と連接し、かつ前記清掃基布の前記第２の面から前記第１の面の方向に向けて前記清掃基布の厚み方向に突出した前記突出部を有する請求項１に記載の清掃シート。
【請求項３】
前記位置決め部材が中空又は中実の柱体状部材からなり、該柱体状部材の横断面の長さが前記清掃基布の厚みよりも大きくなっており、該柱体状部材の側面が前記清掃基布によって被覆されている請求項１に記載の清掃シート。
【請求項４】
前記位置決め部材が、前記清掃ヘッドの底面に設けられた係合対象部位に押し込まれて係合されるようになっている請求項１ないし３のいずれか一項に記載に清掃シート。
【請求項５】
前記一辺に沿って延びる前記位置決め部材の長さが、該一辺の長さよりも短くなっており、該位置決め部材の両端部よりも外方に前記清掃基布が延出している請求項１ないし４のいずれか一項に記載に清掃シート。
【請求項６】
前記位置決め部材を複数有し、該位置決め部材が、前記清掃基布の一組の辺に沿って該一組の辺の両辺の位置にそれぞれ配置されている請求項１ないし５のいずれか一項に記載に清掃シート。
【請求項７】
清掃ヘッドを有する清掃具と、該清掃ヘッドに取り付けられる清掃シートとを有する清掃用具であって、
前記清掃ヘッドの底面に少なくとも１本の清掃ロールが配置されており、前記清掃シートは、該清掃ロールを跨がないように取り付けられ、
前記清掃シートは、対向する一組の辺を少なくとも有する形状の清掃基布と、該清掃基布の一組の辺の少なくとも一辺の延びる方向と同方向に延びるように配置された位置決め部材とを有し、
該位置決め部材は、前記清掃基布よりも高剛性のものであり、かつ該清掃基布の厚み方向に向けて突出した突出部を有し、該突出部が、前記清掃ヘッドの前記清掃ロールに隣接し、かつ該清掃ロールの軸方向に沿って設けられた係合対象部位に押し込まれて係合されるようになっている清掃用具。
【発明の詳細な説明】
【技術分野】
【０００１】
本発明は清掃シートに関する。また本発明は、該清掃シートと、該清掃シートが取り付けられる清掃具とを有する清掃用具に関する。
【背景技術】
【０００２】
清掃シートを清掃具に取り付けてなる清掃用具に関する従来の技術としては、例えば特許文献１に記載のものが知られている。同文献には、ワックスを染み込ませた紙や布からなるモップの両端部に、段ボールや樹脂などの硬い部材を設け、この硬い部材を、モップ取付部本体に設けたスリット状の溝内に挿入することで、モップをモップ取付部本体に取り付けることが記載されている。
【０００３】
特許文献２には、モップ器に取り付けられる紙雑巾が記載されている。紙雑巾は角形をしており、その複数が重ね合わされ、その左右両側部をＵ字状に折曲し、かつ挟み金で挟着することが記載されている。重ね合わされた紙雑巾は、挟み金の位置でモップ器に取り付けられる。
【０００４】
特許文献３には、清掃部と、この清掃部の両側に形成された取付部とを有する基布からモップを構成し、このモップの取付部にスリットを設け、このスリットを清掃具の上面に設けられた係止用突起に係合させることで、モップを清掃具に取り付けることが記載されている。
【０００５】
特許文献４には、汚れを拭き取るための払拭体と、この払拭体を装着して清掃作業を行うための清掃具本体とからなる清掃具が記載されている。払拭体は、薄板状のスポンジ体の表面に不織布製の着ゴミ布を有している。また払拭体には、清掃具本体に着脱自在に取り付けるための係止孔が設けられている。清掃具本体は、払拭体の係止孔に嵌合、係止可能なフックを有する。
【０００６】
特許文献５には、払拭布の裏面の離れた２箇所にテープ状の補強部材を互いに平行に取り付け、この補強部材の内側縁を折曲げ線として払拭布の両側縁を裏面側へ折り畳んで両補強部材の上部側を互いに近接する形態に傾斜させた状態で、該払拭布を清掃具に取り付けることが記載されている。
【先行技術文献】
【特許文献】
【０００７】
【特許文献１】実用新案登録第３００１６３３号公報
【特許文献２】実公昭４７−３０１９４号公報
【特許文献３】特開平９−３２７４２７号公報
【特許文献４】特開２００３−１７４９９０号公報
【特許文献５】特開２０１０−８８７９０号公報
【発明の概要】
【発明が解決しようとする課題】
【０００８】
しかし、上述した各文献に記載の技術では、清掃シートを清掃具に取り付ける部位の形状等に起因して、該清掃シートを該清掃具に確実に取り付けづらい場合がある。また清掃シートを清掃具に取り付ける部位の材質等に起因して、該清掃シートを該清掃具に取り付ける操作が容易でないことがある。したがって本発明の課題は、前述した従来技術が有する欠点のいずれかを解消し得る清掃シートを提供することにある。
【課題を解決するための手段】
【０００９】
本発明は、清掃ヘッドを有する清掃具に取り付けられて使用される清掃シートであって、
前記清掃シートは、対向する一組の辺を少なくとも有する形状の清掃基布と、該清掃基布の一組の辺の少なくとも一辺の延びる方向と同方向に延びるように配置された位置決め部材とを有し、
位置決め部材は、前記清掃基布よりも高剛性のものであり、かつ該清掃基布の厚み方向に向けて突出した突出部を有し、該突出部が清掃ヘッドに着脱自在に係合可能になっている清掃シートを提供するものである。
【００１０】
また本発明は、清掃ヘッドを有する清掃具と、該清掃ヘッドに取り付けられる清掃シートとを有する清掃用具であって、
前記清掃ヘッドの底面に少なくとも１本の清掃ロールが配置されており、前記清掃シートは、該清掃ロールを跨がないように取り付けられ、
前記清掃シートは、対向する一組の辺を少なくとも有する形状の清掃基布と、該清掃基布の一組の辺の少なくとも一辺の延びる方向と同方向に延びるように配置された位置決め部材とを有し、
該位置決め部材は、前記清掃基布よりも高剛性のものであり、かつ該清掃基布の厚み方向に向けて突出した突出部を有し、該突出部が、前記清掃ヘッドの前記清掃ロールに隣接し、かつ該清掃ロールの軸方向に沿って設けられた係合対象部位に押し込まれて係合されるようになっている清掃用具を提供するものである。
【発明の効果】
【００１１】
本発明によれば、清掃作業中に清掃シートが清掃具から外れる等の不都合を効果的に抑制することができる。また本発明によれば、清掃シートを清掃具に取り付ける操作を容易に行うことができる。
【図面の簡単な説明】
【００１２】
【図１】図１（ａ）は、本発明の清掃シートの一実施形態を示す斜視図であり、図１（ｂ）は、図１（ａ）における要部拡大図である。
【図２】図２は、本発明の清掃シートの別の実施形態を示す斜視図（図１（ａ）相当図）である。
【図３】図３（ａ）ないし（ｄ）は、本発明の清掃シートの更に別の実施形態を示す断面図（図１（ｂ）相当図）であり、図３（ｅ）は、図３（ｄ）に示す実施形態の位置決め部材を折り畳んで平らにした状態を示す断面図である。
【図４】図４（ａ）及び（ｂ）は、本発明の清掃シートの更に別の実施形態を示す一部破断斜視図である。
【図５】図１は、本発明の清掃シートが装着される清掃具の一例を示す斜視図である。
【図６】図６は、図５のII−II線に沿って切断した斜視図である。
【図７】図７は、図５のII−II線に沿って切断した断面図である。
【図８】図８は、図５に示す清掃具のジョイント部を含む断面図である。
【図９】図９（ａ）は、図５に示す清掃具の清掃ヘッドを下面の側から視た斜視図であり、図９（ｂ）は、図９（ａ）における要部拡大斜視図である。
【図１０】図１０は、図５に示す清掃具における清掃ヘッドの清掃ロールの支持部を切断した斜視図である。
【図１１】図１１（ａ）及び（ｂ）は、図４（ａ）及び（ｂ）に示す清掃シートを、図５に示す装着具に装着した状態での要部を示す断面図である。
【図１２】図１２は、本発明の清掃シートが装着される清掃具の別の実施形態を示す斜視図である。
【発明を実施するための形態】
【００１３】
以下本発明を、その好ましい実施形態に基づき図面を参照しながら説明する。図１（ａ）には、本発明の清掃シートの一実施形態の斜視図が示されている。図１（ｂ）は、図１（ａ）における要部拡大図である。同図に示す清掃シート１００は、例えば後述する清掃具１０における清掃ヘッド３０に取り付けられて使用されるものである。清掃シート１００は、不織布からなる清掃基布１１１を有している。清掃基布１１１は、対向する一組の辺を二組有しており、これらの辺によって画定される略矩形をしている。清掃シート１００は、長手方向Ｘ及びこれと直交する幅方向Ｙとを有する。清掃基布１１１は、長手方向Ｘに沿う一対の第１辺部１１２ａ,１１２ｂを有している。また清掃基布１１１は、幅方向Ｙに沿う一対の第２辺部１１３ａ,１１３ｂを有している。一対の第１辺部１１２ａ,１１２ｂと一対の第２辺部１１３ａ,１１３ｂとが略直角に直交することで、清掃基布１１１は略矩形の形状となっている。更に清掃基布１１１は、第１面１１４ａ及びこれと反対側に位置する第２面１１４ｂを有している。
【００１４】
清掃シート１００は、不織布からなる清掃基布１１１の二組の辺のうちの一組の辺、具体的には一対の第１辺部１１２ａ,１１２ｂの延びる方向と同方向（すなわち清掃基布１１１の長手方向Ｘ）に延びるように配置された位置決め部材１２０ａ，１２０ｂを有している。位置決め部材１２０ａ，１２０ｂはそれぞれ、清掃基布１１１の一組の第１辺部１１２ａ,１１２ｂに沿って、該第１辺部１１２ａ,１１２ｂの位置に配置されている。したがって、清掃基布１１１の厚み方向から見たとき、該清掃基布１１１は、位置決め部材１２０ａ，１２０ｂの片側からのみ延出しており、反対側から延出している部位を有していない。位置決め部材１２０ａ，１２０ｂが第１辺部１１２ａ,１１２ｂの位置に配置されていることで、清掃シート１００を、後述する清掃具の清掃ヘッドに取り付けて清掃作業を行ったときに、該清掃シート１００の位置ずれを効果的に防止することができるという利点がある。
【００１５】
図１（ｂ）に示すとおり、位置決め部材１２０ａ，１２０ｂは、清掃基布１１１の第１面１１４ａ及び第２面１１４ｂのうちの第１面１１４ａに当接するように、清掃基布１１１との結合部１２１を有している。結合部１２１は、薄くかつ細長い平板状をしている。結合部１２１は、第１面１２１ａ及びそれと反対側に位置する第２面１２１ｂを有している。第１面１２１ａと第２面１２１ｂとは概ね平行になっている。また結合部１２１は、清掃基布１１１の長手方向Ｘと同方向に延び、かつ対向する一対の第１辺部１２２ａ，１２２ｂを有している。結合部１２１の第１辺部１２２ａの位置は、清掃基布１１１の第１辺部１１２ａと同位置に位置している。すなわち、清掃基布１１１の第１面１１４ａ側から視たとき、結合部１２１の第１辺部１２２ａと清掃基部１１１の第１辺部１１２ａとが重なるように配置されている。結合部１２１の第１辺部１２２ｂは、第１辺部１２２ａよりも幅方向Ｙの内方側に位置している。結合部１２１はその第２面１２１ｂの全域が清掃基布１１１の第１面１１４ａと当接している。結合部１２１の第２面１２１ｂと清掃基布１１１の第１面１１４ａとは、接合手段によって着脱不能に接合されている。そのような接合手段としては、例えば接着剤による接着、熱融着などが挙げられる。
【００１６】
位置決め部材１２０ａ，１２０ｂは、上述した結合部１２１と連接する突出部１２３を有している。突出部１２３は、後述する清掃具１０の清掃ヘッド３０における係合対象部位に着脱自在に係合可能な形状になっている。本実施形態における突出部１２３は、薄くかつ細長い平板状をしている。突出部１２３は、第１面１２４ａ及びそれと反対側に位置する第２面１２４ｂを有している。第１面１２４ａと第２面１２４ｂとは概ね平行になっている。また突出部１２３は、清掃基布１１１の長手方向Ｘと同方向に延び、かつ対向する一対の第１辺部１２５ａ，１２５ｂを有している。突出部１２３はその第１辺部１２５ａの位置を、結合部１２１の第２面１２１ｂの位置と一致させた状態で、当該位置において結合部１２１と連接している。
【００１７】
突出部１２３は、その第１面１２４ａ及び第２面１２４ｂが、結合部１２１の第１面１２１ａ及び第２面１２１ｂと略直交するように該結合部１２１と連接している。ここで「略直交」とは直交（９０度）をも含む表現である。このように、突出部１２３は、結合部１２１の第１辺部１２２ａの位置から清掃基布１１１の厚み方向Ｚに向けて突出し、壁状に立設されて、図１（ｂ）に示すとおり、Ｌ字の断面形状を有している。したがって、突出部１２３は、清掃基布１１１の第１面１１４ａ及び第２面１１４ｂに対して略直交している。突出部１２３の突出方向は、清掃基布１１１の第２面１１４ｂから第１面１１４ａに向けての方向である。突出部１２３が、清掃基布１１１の厚み方向Ｚに向けて突出していることで、清掃シート１００を、後述する清掃具に取り付けるときの位置精度が高くなる。また取り付けを確実に行うことができ、清掃作業中に清掃シート１００が清掃具から外れる等の不都合が起こりづらくなる。詳細には、位置決め部材１２０ａ，１２０ｂの突起部１２３が、後述する清掃ヘッドの底面に設けられた係合対象部位に押し込まれて係合されるようになるので、清掃作業中に清掃具に押圧力が加わると、その分だけ突起部２３が前記係合対象部位に押し込まれるので、係合が一層強固なものとなる。
【００１８】
図１（ｂ）に示すとおり、清掃シート１００は、清掃基布１１１の第１面１１４ａにおいてのみ位置決め部材１２０ａ，１２０ｂを有しており、清掃基布１１１の第２面１１４ｂには位置決め部材１２０ａ，１２０ｂは存在していない。清掃基布１１１の第２面１１４ｂには何らの部材も配置されていない。したがって、清掃基布１１１はその第２面１１４ｂの全面を清掃に供することができるので、第２面１１４ｂの全域を有効活用できる。
【００１９】
結合部１２１及び突出部１２３を有する位置決め部材１２０ａ，１２０ｂは、清掃基布１１１の構成材料である不織布よりも高剛性である。具体的には、位置決め部材１２０ａ，１２０ｂそれぞれ単独で、その長手方向一端のみを固定して水平状態で空間中に保持したときに、自重によって位置決め部材１２０ａ，１２０ｂの他端側が撓む量が３ｍｍ以下となる剛性を有することが好ましい。位置決め部材１２０ａ，１２０ｂが清掃基布１１１よりも高剛性であることによって、清掃シート１００を、後述する清掃具に取り付けるときの操作性が良好になる。位置決め部材１２０ａ，１２０ｂの剛性が清掃基布１１１の剛性と同程度又はそれよりも低い場合には、位置決め部材１２０ａ，１２０ｂが変形し易くなってしまい、該位置決め部材１２０ａ，１２０ｂの突出部１２３を、清掃具１０に設けられた係合対象部位に係合させる操作を行いづらくなってしまったり、係合後、清掃具１０の使用時に係合対象部位から外れ易くなったりしてしまう。
【００２０】
位置決め部材１２０ａ，１２０ｂを清掃基布１１１よりも高剛性にするためには、位置決め部材１２０ａ，１２０ｂを例えば樹脂成形体、金属、木材、コートボール紙などの厚紙、それらの複合材などから構成すればよい。
【００２１】
本実施形態の清掃シート１００においては、図１（ａ）に示すとおり、位置決め部材１２０ａ，１２０ｂの長手方向Ｘに沿う両端部は、清掃基布１１１の長手方向Ｘに沿う両端部、すなわち第２辺部１１３ａ、１１３ｂの位置に位置している。これに代えて、例えば図２に示すとおり、第１辺部１１２ａ，１１２ｂに沿って延びる位置決め部材１２０ａ，１２０ｂの長さが、第１辺部１１２ａ，１１２ｂの長さよりも短くなっており、位置決め部材１２０ａ，１２０ｂの長手方向Ｘに沿う両端部よりも長手方向Ｘの外方に清掃基布１１１が延出して延出部１１１ａ，１１１ｂを形成していてもよい。延出部１１１ａ，１１１ｂは、清掃シート１００が清掃具の清掃ヘッドに取り付けられた状態において、該清掃ヘッドからはみ出した状態になるので、そのはみ出した状態の延出部１１１ａ，１１１ｂを利用して、床から壁への立ち上がり角部などのゴミを捕集することが容易になるという利点がある。
【００２２】
図３（ａ）ないし（ｅ）には清掃シート１００の別の実施形態が示されている。図３（ａ）に示す清掃シートにおいては、位置決め部材１２０ａ，１２０ｂが、図１（ｂ）と同様に、薄くかつ細長い平板状をしている結合部１２１と、該結合部１２１に連接し、かつ薄くかつ細長い平板状をしている突出部１２３とから構成されている。結合部１２１と突出部１２３とは、長手方向Ｘから見て両者のなす角度θが９０未満となるように突出部１２３が幅方向Ｙの内方に向けて傾斜した状態で連接している。すなわち、結合部１２１における清掃基布１１１と結合している第２面１２１ｂの反対側に位置する第１面１２１ａと、該第１面１２１ａと交差する突出部１２３における第１面１２４ａとのなす角度θが９０未満となるように連接している。角度θは、例えば４５度以上であることが好ましく、５０度以上であることが更に好ましい。また９０度未満であることが好ましく、８０度以下であることが好ましい。例えば角度θは４５度以上９０度未満であることが好ましく、５０度以上８０度以下であることが更に好ましい。突出部１２３が傾斜していることで、該突出部１２３が、清掃具の清掃ヘッドに設けられた係合対象部位と係合すると、アンカー効果によってその係合状態が一層解除されづらくなり、清掃作業中に清掃シート１００が清掃具から外れる等の不都合が一層効果的に防止される。
【００２３】
図３（ｂ）に示す位置決め部材１２０ａ，１２０ｂは、中空の柱体形状を有しており、詳細には、中空の四角柱形状であって、四角柱の高さ方向が清掃基布１１１の長手方向Ｘに延びるように配置した状態のものからなる。そして中空の四角柱における一つの側面１２６ａが、清掃基布１１１の第１面１１４ａと結合している。したがって該側面１２６ａが結合部１２１として作用する。中空の四角柱における他の３つの側面１２６ｂ，１２６ｃ，１２６ｄは、清掃基布１１１の第１面１１４ａから厚み方向Ｚに向けて突出した突出部１２３を構成している。本実施形態によれば、突出部１２３と、清掃具の清掃ヘッドに設けられた係合対象部位との係合状態が強固になるので、清掃作業中に清掃シート１００が清掃具から外れる等の不都合が一層効果的に防止される。
【００２４】
なお図３（ｂ）に示す位置決め部材１２０ａ，１２０ｂは、幅方向Ｙと厚み方向Ｚとが同じ長さの正四角柱形状を有しているが、幅方向Ｙと厚み方向Ｚとの長さが異なっていても構わない。例えば、厚み方向Ｚを幅方向Ｙよりも長くすることによって、位置決め部材１２０ａ，１２０ｂは係合対象部位に対してより深く係合させることができ、係合状態を強固とすることができる。また、図３（ｂ）に示す実施形態で用いた位置決め部材１２０ａ，１２０ｂは、四角柱の底面の形状が台形であっても平行四辺形であっても構わない。また、柱体形状であれば、四角柱に限らず、三角柱、五角柱、六角柱等であっても構わない。
【００２５】
図３（ｃ）に示す位置決め部材１２０ａ，１２０ｂは、中空の円柱形状であって、円柱の高さ方向が清掃基布１１１の長手方向Ｘに延びるように配置した状態のものからなる。そして中空の円柱における側面の一部１２７ａが、清掃基布１１１の第１面１１４ａと結合している。したがって該側面１２７ａが結合部１２１として作用する。中空の円柱における側面１２７ａ以外の部位である１２７ｂは、清掃基布１１１の第１面１１４ａから厚み方向Ｚに向けて突出した突出部１２３を構成している。本実施形態によれば、図３（ｂ）に示す実施形態と同様に、突起部１２３と、清掃具の清掃ヘッドに設けられた係合対象部位との係合状態が強固になるので、清掃作業中に清掃シート１００が清掃具から外れる等の不都合が一層効果的に防止される。
【００２６】
図３（ｄ）に示す位置決め部材１２０ａ，１２０ｂは、中空の四角柱形状である点は図３（ｂ）に示す位置決め部材１２０ａ，１２０ｂと同じであるが、四角柱の底面が平行四辺形状を有している点で異なっている。そして中空の四角柱における一つの側面１２６ａが、清掃基布１１１の第１面１１４ａと結合している。したがって該側面１２６ａが結合部１２１として作用する。中空の四角柱における他の３つの側面１２６ｂ，１２６ｃ，１２６ｄは、清掃基布１１１の第１面１１４ａから厚み方向Ｚに向けて突出した突出部１２３を構成している。そして、突出部１２３の一部を構成する側面１２６ｂ，１２６ｄが幅方向Ｙの内方に向けて傾斜している。この構成により、図３（ａ）に示す位置決め部材と同様に、突出部１２３が、清掃具の清掃ヘッドに設けられた係合対象部位と係合すると、アンカー効果によってその係合状態が一層解除されづらくなり、清掃作業中に清掃シート１００が清掃具から外れる等の不都合が一層効果的に防止される。
【００２７】
図３（ｄ）に示す位置決め部材１２０ａ，１２０ｂは、図３（ｅ）に示すような形状に折り畳むことができる。これにより、清掃シート１００を商品として包装材に収容する際に、コンパクトに収容することが可能となる。使用時には、使用者が、折り畳んだ状態の位置決め部材１２０ａ，１２０ｂを図３（ｄ）に示すような立体形状に復元することで、清掃具１０の清掃ヘッド３０にセットすることができる。
【００２８】
なお図３（ｂ）及び図３（ｃ）に示す実施形態で用いた位置決め部材１２０ａ，１２０ｂは、中空の角柱又は円柱であったが、これに代えて中実の角柱又は円柱を用いてもよい。つまり、位置決め部材１２０ａ，１２０ｂとして、中空又は中実の柱体を用いることができる。また、図３（ｂ）及び図３（ｃ）に示す実施形態で用いた位置決め部材１２０ａ，１２０ｂは、その柱体の２つの底面が開口した筒状となっているが、いずれかの底面が封鎖された有底状となっていても構わない。
【００２９】
図４（ａ）及び（ｂ）には、清掃シート１００の更に別の実施形態が示されている。これらの図に示す清掃シート１００は、清掃基布１１１と一対の位置決め部材１２０ａ，１２０ｂを有する。位置決め部材１２０ａ，１２０ｂは柱体状部材であって、該柱体の高さ方向が清掃基布１１１の長手方向Ｘに延びるように配置した状態のものである。具体的には、図４（ａ）に示す実施形態は、中空の四角柱形状を有する柱体状部材であって、四角柱の高さ方向が清掃基布１１１の長手方向Ｘに延びるように配置した状態のものである。図４（ｂ）に示す実施形態、中空の円柱形状を有する柱体状部材であって、円柱の高さ方向が清掃基布１１１の長手方向Ｘに延びるように配置した状態のものである。尤も、位置決め部材１２０ａ，１２０ｂは、中空のものに限られず、一方又は双方の位置決め部材１２０ａ，１２０ｂが中実体から構成されていてもよい。
【００３０】
位置決め部材１２０ａ，１２０ｂは、清掃基布１１１の長手方向Ｘに沿って平行に延びている。位置決め部材１２０ａ，１２０ｂは、清掃基布１１１の長手方向Ｘに沿う第１辺部１１２ａ、１１２ｂの位置に配置されている。位置決め部材１２０ａ，１２０ｂはいずれも同じ長さであり、それらの両端部は、清掃基布１１１の幅方向Ｙに沿う第２辺部１１３ｂの位置に位置している。尤も、清掃基布１１１の長手方向Ｘの長さと位置決め部材１２０ａ，１２０ｂの長さとは同じであることに限られず、例えば図２に示す実施形態の清掃シート１００と同様に、位置決め部材１２０ａ，１２０ｂの長さが、第１辺部１１２ａ，１１２ｂの長さよりも短くなっており、位置決め部材１２０ａ，１２０ｂの長手方向Ｘに沿う両端部よりも長手方向Ｘの外方に清掃基布１１１が延出して延出部を形成していてもよい。
【００３１】
位置決め部材１２０ａ，１２０ｂは、その横断面、すなわち、図４（ａ）及び（ｂ）中、幅方向Ｙに沿う断面（位置決め部材１２０ａ，１２０ｂの長手方向と直交する断面）の長さが、不織布からなる清掃基布１１１の厚みよりも大きくなっている。位置決め部材の横断面の長さとは、横断面の二次元図形における該図形の重心を通る直線が該図形を横切る線分の長さのうち、最も短い線分の当該長さのことを言う。したがって位置決め部材１２０ａ，１２０ｂの横断面の形状が図４（ａ）に示すような正方形である場合は、正方形の一辺の長さのことを言う。位置決め部材１２０ａ，１２０ｂの横断面の形状が図４（ｂ）に示すような円形である場合は、直径のことを言う。
【００３２】
位置決め部材１２０ａ，１２０ｂを構成する柱状部材は、その側面の全域が清掃基布１１１によって被覆されている。そして清掃基布１１１によって被覆された位置決め部材１２０ａ，１２０ｂは、清掃基布１１１の第１面１１４ａから、該清掃基布１１１の厚み方向Ｚの上方に向けて（つまり第２面１１４ｂから第１面１１４ａの方向に向けて）突出して、第１突出部１２３ａを形成している。同様に、位置決め部材１２０ａ，１２０ｂは、清掃基布１１１の第２面１１４ｂから、該清掃基布１１１の厚み方向Ｚの下方に向けて（つまり第１面１１４ａから第２面１１４ｂの方向に向けて）突出して、第２突出部１２３ｂを形成している。このように、これまで説明してきた実施形態では、突出部１２３が、清掃基布１１１の第１面１１４ａ側においてのみ突出していたのとは対照的に、本実施形態では、清掃基布１１１の第１面１１４ａ及び第２面１１４ｂの双方において突出部１２３ａ，１２３ｂが突出している。清掃基布１１１の両面において突出部１２３ａ，１２３ｂが突出していることで、清掃シート１０は、清掃基布１１１の第１面１１４ａを清掃面として使用することができ、また第２面１１４も清掃面として使用することができる。要するに、本実施形態によれば、清掃基布１１１の各面を清掃に用いることができるという利点がある。
【００３３】
図４（ａ）及び図４（ｂ）に示す実施形態においては、位置決め部材１２０ａ，１２０ｂが清掃基布１１１によって被覆されていれば、位置決め部材１２０ａ，１２０ｂと清掃基布１１１とを結合しなくても構わないし、結合していても構わない。
【００３４】
以上の各実施形態で用いられる清掃基布１１１としては、従来、当該技術分野において用いられてきた不織布と同様のものを用いることができる。そのような不織布としては、スパンレース不織布、エアスルー不織布、スパンボンド不織布、メルトブローン不織布、ニードルパンチ不織布、レジンボンド不織布などが挙げられるが、これらに限られない。繊維状のゴミや粒状のゴミの絡み取りを良好に行う点からは、繊維自由度の高い不織布を用いることが有利である。この観点から、不織布としてスパンレース不織布を用いることが好ましい。また、いずれの不織布も、起毛加工を施すことで不織布表面に起毛した繊維を具備した状態の不織布として用いても構わない。清掃基布１１１として用いられる不織布は、他の材料との複合材であってもよい。例えば、網状シートと複合化された不織布を用いることができる。
【００３５】
清掃基布１１１の坪量は、ゴミの捕集性能や強度の観点から１０ｇ／ｍ２以上であることが好ましく、２０ｇ／ｍ２以上であることがより好ましく、３０ｇ／ｍ２以上であることが更により好ましい。また２００ｇ／ｍ２以下であることが好ましく、１５０ｇ／ｍ２以下であることがより好ましく、１００ｇ／ｍ２以下であることが更により好ましい。例えば清掃基布１１１の坪量は１０ｇ／ｍ２以上２００ｇ／ｍ２以下であることが好ましく、２０ｇ／ｍ２以上１５０ｇ／ｍ２以下であることがより好ましく、３０ｇ／ｍ２以上１００ｇ／ｍ２以下であることが更により好ましい。
【００３６】
次に、上述した各実施形態の清掃シート１００が取り付けられる清掃具の一例を説明する。図５ないし図８に示した清掃具１０は、フローリング、カーペットの床等を被清掃面とし、被清掃面上の粒ゴミ（米、菓子くず、土ホコリ、砂等）、毛、綿ホコリを捕集するものである。清掃具１０は、柄２０の先端に設けた清掃ヘッド３０にゴミ収容部４０を有し、ゴミ収容部４０の前後に設けた前後の側面開口部４１（４１Ｆ、４１Ｒ）を有するとともに、それらの側面開口部４１を塞ぐ前後の清掃ロール５０（５０Ｆ、５０Ｒ）を有する。清掃シート１００は清掃ヘッド３０の底面に取り付けられる。これによって、清掃シート１００及び清掃具１０を有する清掃用具となる。
【００３７】
清掃具１０は、柄２０に加える操作力により清掃ロール５０が被清掃面上で転動され、柄２０に加える押し操作力により清掃ヘッド３０が進む方向を前方向（図７のＦ方向）とし、柄２０に加える引き操作力により清掃ヘッド３０が進む方向を後方向（図７のＲ方向）とする。
【００３８】
柄２０は、図５ないし図７に示すとおり、複数本の棒状体２１を順に接続した１ｍ長程度の長尺体であり、基端にグリップを備える。柄２０の先端二又部２２のスリットにはジョイント２３の連結プレート２４が差し込まれ、二又部２２に差し込まれてネジ２５で該二又部２２に固定されるブッシュ２６に連結プレート２４をピン結合している。また、ジョイント２３は、清掃ヘッド３０の上フレーム３１Ｕの前後方向（清掃ロール５０が移動により進む方向）及び左右方向（清掃ロール５０の軸方向）の中央部に設けられている、左右の支持部３２、３２の間に差し込まれ、それらの支持部３２に固定されるピン２７にピン結合されている。ピン２７は清掃ヘッド３０の左右方向に延在され、ブッシュ２６はピン２７に直交配置されている。これにより、使用者は、柄２０をブッシュ２６まわりの左右に揺動でき、かつ柄２０をピン２７まわりの前後に揺動できる。
【００３９】
柄２０は、図８に示すとおり、先端の棒状体２１の中心孔にコイルばね２８を装填し、このコイルばね２８により弾発される摺動子２８Ａをジョイント２３の連結プレート２４に備えた円弧面２４Ａ（ブッシュ２６を中心とする円弧の面）に押し当てて、柄２０がブッシュ２６まわりで自由に揺動するのを制動している。また、清掃ヘッド３０の上フレーム３１Ｕの後述するボス３４に設けられて上面に開口する中央孔にコイルばね２９を装填し、このコイルばね２９により弾発される摺動子２９Ａをジョイント２３に備えた円弧面２３Ａ（ピン２７を中心とする円弧の面）に押し当てて、柄２０がピン２７まわりで自由に揺動するのを制動している。これにより、使用者は柄２０を掴んで清掃具１０の全体を被清掃面から持ち上げ、柄２０と清掃ヘッド３０の相対角度姿勢を変えることなく、清掃具１０の全体を当初の姿勢のまま移載できる。
【００４０】
清掃ヘッド３０は、図６ないし図８に示すとおり、上フレーム３１Ｕと下フレーム３１Ｌの結合体からなる。上フレーム３１Ｕは清掃ヘッド３０の前後左右の全域に延在され、前後方向の両端部に設けられる円弧状のカバー部が前後の清掃ロール５０の概ね上半周を覆う。上フレーム３１Ｕは、下面の前後方向の中央部に垂設される中央リブ３３を、上フレーム３１Ｕの左右の側壁に交差する左右方向の全域に延在して備える。上フレーム３１Ｕの下面における中央リブ３３の左右方向の中央部には、前述のコイルばね２９が装填されるボス３４が下向き突設される。
【００４１】
下フレーム３１Ｌは、上フレーム３１Ｕの左右の側壁間に嵌合される枠状をなし、図９に示すとおり、その四角状の外周枠３５の下面を被清掃面に摺接し得る水平面とし、外周枠３５の下面の内側に清掃シート１００を取り付け可能な四角状の段差部３６を有する。下フレーム３１Ｌの外周枠３５に取り付けられた状態の清掃シート１００における清掃基布１１１の下面は、外周枠３５の下面と面一をなし、被清掃面に摺接し得るものになる。
【００４２】
下フレーム３１Ｌは、外周枠３５内の段差部３６が備える段差面３６ｂの面内に中央リブ３７を備える。中央リブ３７は外周枠３５内の前後方向の中央部に立設され、外周枠３５の左右の段差部３６に交差する左右方向の全域に延在して備える。中央リブ３７の下面は段差部３６の段差面３６ｂと面一をなす。
【００４３】
下フレーム３１Ｌは、外周枠３５の前端側と後端側の段差部３６と中央リブ３７との間に、複数本の互いに平行をなす桟３８を備える。桟３８の下面は、段差部３６の段差面３６ｂ、及び中央リブ３７の下面と面一をなす。桟３８の上面は、中央リブ３７の上部〜外周枠３５の上部に向けて延びる下り勾配の湾曲傾斜面３８Ａをなす。なお、桟３８の横断面は、図５に示すとおり、上面が狭い三角断面をなし、清掃ロール５０が後述するとおりに投入するゴミを下に落とし易くする。
【００４４】
下フレーム３１Ｌは、中央リブ３７の上端凹部３７Ａを上フレーム３１Ｕの中央リブ３３の下端凸部３３Ａに嵌合する状態で、中央リブ３７の下面の複数ヵ所から挿入されるネジ３９を上フレーム３１Ｕの下面取付部に螺着することにより、上フレーム３１Ｕに結合される。これにより、清掃ヘッド３０は、上フレーム３１Ｕと下フレーム３１Ｌが結合され、下フレーム３１Ｌの下面の外周枠３５に清掃シート１００が取り付けられた状態で、上フレーム３１Ｕと下フレーム３１Ｌの間にゴミ収容部４０を形成する。ゴミ収容部４０は、清掃ヘッド３０の前後方向の中央部で、上フレーム３１Ｕの中央リブ３３と下フレーム３１Ｌの中央リブ３７により前後に仕切られる。清掃ヘッド３０は、前後のゴミ収容部４０Ｆ、４０Ｒを有するものになり、前側のゴミ収容部４０Ｆは前方に開口する側面開口部４１Ｆを備え、後側のゴミ収容部４０Ｒは後方に開口する側面開口部４１Ｒを備える。
【００４５】
清掃具１０は、清掃ヘッド３０のゴミ収容部４０（４０Ｆ、４０Ｒ）が備える側面開口部４１（４１Ｆ、４１Ｒ）の下端沿いに、被清掃面から側面開口部４１へとゴミを導くゴミ誘い面部４２を設けている。清掃具１０の下フレーム３１Ｌの前側と後側の外周枠３５の外側面が、清掃ロール５０の全長に渡って、清掃ロール５０の外周に摺接し、又は清掃ロール５０の外周に微小隙間を介する円弧面状のゴミ誘い面部４２となる。外周枠３５の下面に対し鋭角をなして交差するゴミ誘い面部４２の下端エッジ４２Ａは、清掃具１０の移動時に、被清掃面に密着して摺接し、被清掃面上のゴミをゴミ誘い面部４２の上にすくい上げる。ゴミ誘い面部４２の上端エッジ４２Ｂも鋭角をなし、この上端エッジ４２Ｂに向かって回転してくる清掃ロール５０（例えば清掃具１０の前方（図７のＦ方向）移動時
の場合には、清掃具１０の後方（図７のＲ方向）に位置する図７の清掃ロール５０Ｒ）まわりで、ゴミ収容部４０（４０Ｒ）中のゴミがこの上端エッジ４２Ｂから押さえロール５０（５０Ｒ）に入り込みにくくしている（図７）。
【００４６】
このとき、ゴミ収容部４０（４０Ｆ、４０Ｒ）の底面は、図９に示すとおり、下フレーム３１Ｌの外周枠３５の段差部３６に取り付けられる清掃シート１００によって封止されている。同図に示すとおり、段差部３６には、スリット溝３６ａが形成されている。スリット溝３６ａは、各清掃ロール５０に隣接して、各清掃ロール５０よりも内方の位置に一対設けられている。各スリット溝３６ａは、清掃ロール５０の延びる方向と同方向に延びるように設けられている。各スリット溝３６ａは、清掃シート１００の位置決め手段１２０ａ，１２０ｂのうち、突出部１２３が挿入される係合対象部位である。言い換えると、２本の清掃ロール５０の間に一対の係合対象部位としてのスリット溝３６ａが、それぞれ２本の清掃ロール５０に隣接するように配されている。この係合対象部位に突出部１２３が押し込まれることによって、清掃シート１００は、各清掃ロール５０を跨がないように、下フレーム３１Ｌの外周枠３５に着脱可能に係合される。各スリット溝３６ａはその長さが、位置決め手段１２０ａ，１２０ｂの突出部１２３の長さと概ね等しいか、又はそれよりも若干長くなっている。
【００４７】
段差部３６には、上述のとおり段差面３６ｂが形成されている。段差面３６ｂは、外周枠３５よりも低い位置に形成されている。外周枠３５と段差面３６ｂとの段差は、清掃シート１００における位置決め手段１２０ａ，１２０ｂの結合部１２１の厚み（第１面１２１ａと第２面１２１ｂとの距離）以上に設定することが好ましく、又は結合部１２１の厚みと清掃基布１１１の厚みとを合わせた厚み以下に設定することが好ましい。これにより、清掃シート１００は、位置決め手段１２０ａ，１２０ｂの結合部１２１が清掃ヘッド３０の被清掃面に接する下フレーム３１Ｌの外周枠３５の下面から突出せずに、外周枠３５の段差部３６に着脱自在に設けられるものになる。清掃具１０による清掃時に、ゴミ誘い面部４２の下端エッジ４２Ａをすり抜けた被清掃面上の土ホコリ等の細かいゴミを清掃基布１１１により拭き取る。
【００４８】
清掃具１０は、清掃ヘッド３０（上フレーム３１Ｕ）の左右の側壁の前側と後側のそれぞれに、前後の清掃ロール５０（５０Ｆ、５０Ｒ）の両端部を枢支する。本実施形態では、清掃ロール５０は、図１０に示すとおり、硬質プラスチック、又はアルミパイプ等の金属からなるシャフトチューブ５１の外周の全周、全長にスポンジロール５２を被着し、このスポンジロール５２の全長表面を例えば帯電しにくい筒状薄膜５３で被覆した弾性ロールである。清掃ロール５０は、ゴミ収容部４０の側面開口部４１を塞ぎ、被清掃面と接触する位置に回転可能に配置される。また清掃ロール５０は、ゴミ誘い面部４２に好ましくは接触する位置に回転可能に配置される。更に清掃ロール５０は、シャフトチューブ５１の両端開口に差し込み固定したキャップ５４を有する。清掃ヘッド３０の上フレーム３１Ｕの左右の側壁に螺着固定された支軸５５が、このキャップ５４の中心孔に通され、清掃ロール５０を清掃ヘッド３０に枢支する。
【００４９】
清掃ロール５０は、図１０に示すとおり、スポンジロール５２に例えば熱収縮フィルムからなる上述の薄膜５３を被せ、この薄膜５３を熱収縮させてスポンジロール５２の表面に密着させ、スポンジロール５２を被覆するものになる。スポンジロール５２の端面は、ホコリの付着防止のために、好適には薄膜５３の端部により被覆され、又は薄膜５３と同材質のサイドフィルムにより被覆される。スポンジロール５２は好適には発泡ウレタンからなる。薄膜５３は好適には熱可塑性ポリウレタン樹脂からなる。
【００５０】
清掃具１０は、好ましくは被清掃面上に置かれた自由状態で、清掃ヘッド３０が柄２０を含む自重により清掃ロール５０のスポンジロール５２を被清掃面との間で押し潰し、清掃ヘッド３０の下面（下フレーム３１Ｌの外周枠３５の下面）を被清掃面に当接させるものにする。これは、柄２０を含む清掃ヘッド３０の自重と、スポンジロール５２の反発力の兼ね合いにより設定される。このとき、清掃ヘッド３０の下面（下フレーム３１Ｌの外周枠３５の下面）と、外周枠３５の下面により決定されるゴミ誘い面部４２の下端エッジ４２Ａとは、同一水平面上に設定される。なお、清掃ヘッド３０の下面（下フレーム３１Ｌの外周枠３５の下面）は、被清掃面上を滑り易くするように、ポリフッ化エチレン処理等が施されることが好ましい。
【００５１】
以上の形態の清掃具１０に清掃シート１００を取り付けることで、清掃作業中に清掃シート１００が清掃ヘッド３０から外れて清掃ロール５０に噛み込まれる等の不具合が起こることが効果的に防止される。また、清掃作業時に清掃ヘッド３０の底面に加わる押圧力によって、清掃シート１００位置決め部材１２０ａ，１２０ｂが常にスリット溝３６ａ内に向けて押し付けられるので、清掃シート１００の位置ずれが起こったり、外れたりすることが効果的に防止される。位置ずれ防止や外れ防止は、清掃ロール５０のスムーズな回転の点から重要な要素である。特に、清掃シート１００が、清掃基布１１１の一組の辺の両辺の位置に位置決め部材１２０ａ，１２０ｂを有していると、清掃作業中に清掃基布１１１が清掃ロール５０に噛み込まれる不具合が起こることを一層効果的に抑制することができる。
【００５２】
図１１（ａ）及び（ｂ）は、図４（ａ）及び（ｂ）に示す清掃シート１００を、清掃具１０の清掃ヘッド３０における係合対象部位であるスリット溝３６ａに係合した状態を示す図である。同図から明らかなとおり、位置決め部材１２０ａ，１２０ｂは清掃基布１１１によって被覆されているので、該位置決め部材１２０ａ，１２０ｂは、清掃ヘッド３０にセットされた状態で被清掃面に直接当接することがない。したがって、清掃基布１１１によるゴミの捕集を位置決め部材１２０ａ，１２０ｂが阻害することはない。また、図１１（ａ）及び（ｂ）から理解されるように、図４（ａ）及び（ｂ）に示す清掃シート１００は、これを裏返してセットすることができるので、清掃基布１１１の両面を使用することができるという利点がある。
【００５３】
以上、本発明をその好ましい実施形態に基づき説明したが、本発明は前記実施形態に制限されない。例えば前記実施形態においては、清掃基布１１１に２つの位置決め部材１２０ａ，１２０ｂが取り付けられていたが、清掃基布１１１の一組の辺のうちの一辺のみに位置決め部材を有した形態でもよい。そのような清掃シートを用いる場合には、図１２に示すように、例えば清掃具１０として、清掃ヘッド３０の底面に清掃ロール５０を１本備えたものを用い、該清掃ロールに隣接した位置に係合対象部位としてのスリット溝３６ａを有しており、該係合対象部位において清掃シート１００の位置決め部材１２０ａを清掃ヘッド３０に取り付ける。位置決め部材１２０ａと反対側に位置する清掃シート１００の端部域の清掃基布１１１は、清掃ヘッド３０の端部から外方に延出させ、延出した部位を清掃ヘッド３０の上面側に折り返す。折り返された延出部位１００ｅは、清掃ヘッド３０の上面に設けられた菊座と呼ばれる放射状のスリットからなる固定部６０内に挿入されることで、固定が行われる。図１２に示す実施形態においては、先に述べた実施形態の効果を有しつつ、折り返された延出部位１００ｅにより、床から壁への立ち上がり角部などのゴミを捕集することが容易になるという利点がある。
【００５４】
また前記実施形態においては、位置決め部材１２０ａ，１２０ｂは、清掃基布１１１の一組の二辺１１２ａ,１１２ｂに沿って、該二辺１１２ａ,１１２ｂの位置に配置されていたが、これに代えて清掃基布１１１は、これをその幅方向Ｙに沿って見たとき、位置決め部材１２０ａ，１２０ｂよりも外方に延出している部位を有していてもよい。
【００５５】
上述した実施形態に関し、本発明は更に以下の清掃シート及び清掃用具を開示する。
＜１＞
清掃ヘッドを有する清掃具に取り付けられて使用される清掃シートであって、
前記清掃シートは、対向する一組の辺を少なくとも有する形状の清掃基布と、該清掃基布の一組の辺の少なくとも一辺の延びる方向と同方向に延びるように配置された位置決め部材とを有し、
前記位置決め部材は、前記清掃基布よりも高剛性のものであり、かつ該清掃基布の厚み方向に向けて突出した突出部を有し、該突出部が清掃ヘッドに着脱自在に係合可能になっている清掃シート。
【００５６】
＜２＞
前記清掃基布の厚み方向から見たとき、前記清掃基布は、前記位置決め部材の片側からのみ延出しており、反対側から延出している部位を有していない前記＜１＞に記載の清掃シート。
＜３＞
前記清掃基布の第１面及び第２面のうちの該第１面においてのみ位置決め部材を有している前記＜１＞又は＜２＞に記載の清掃シート。
＜４＞
前記位置決め部材が、前記清掃基布の第１面及び第２面のうちの該第１面に当接するように、前記清掃基布との結合部を有し、
更に、該結合部と連接し、かつ前記清掃基布の前記第２の面から前記第１の面の方向に向けて前記清掃基布の厚み方向に突出した前記突出部を有する前記＜１＞ないし＜３＞のいずれか１に記載の清掃シート。
＜５＞
前記結合部が第１面及びそれと反対側に位置する第２面を有しており、
前記突出部は、第１面及びそれと反対側に位置する第２面を有しており、
前記結合部における前記清掃基布と結合している第２面の反対側に位置する第１面と、該第１面と交差する前記突出部における第１面とのなす角度θが好ましくは４５度以上、より好ましくは５０度以上であり、また、好ましくは９０度以下、より好ましくは８０度以下である前記＜４＞に記載の清掃シート。
＜６＞
前記位置決め部材が中空又は中実の柱体形状を有しており、柱体における側面の一部が前記結合部として前記清掃基布と結合する前記＜４＞に記載の清掃シート。
【００５７】
＜７＞
前記位置決め部材が中空又は中実の円柱形状を有しており、円柱の高さ方向が前記清掃基布の長手方向に延びるように配置され、
前記円柱における側面の一部が前記結合部として前記清掃基布と結合し、前記側面の前記一部以外の部位が前記突出部を構成している前記＜４＞又は＜６＞に記載の清掃シート。
＜８＞
前記位置決め部材が中空又は中実の四角柱形状を有しており、四角柱の高さ方向が前記清掃基布の長手方向に延びるように配置され、前記四角柱における一つの側面が前記結合部として前記清掃基布と結合し、前記一つの側面以外の側面が前記突出部を構成している前記＜４＞又は＜６＞に記載の清掃シート。
＜９＞
前記四角柱は、厚み方向Ｚが幅方向Ｙよりも長くなっている前記＜８＞に記載の清掃シート。
＜１０＞
前記四角柱は正四角柱である前記＜８＞に記載の清掃シート。
＜１１＞
前記位置決め部材が、中空の四角柱形状で、かつ四角柱の底面が平行四辺形状を有しており、四角柱の高さ方向が前記清掃基布の長手方向に延びるように配置され、
前記四角柱における一つの側面が前記結合部として前記清掃基布と結合し、前記一つの側面以外の側面が前記突出部を構成し、
前記突出部を構成する前記側面のうち前記清掃基布の厚み方向に突出する側面が前記清掃基布の幅方向の内方に向けて傾斜している前記＜４＞、＜６＞、＜８＞又は＜９＞に記載の清掃シート。
【００５８】
＜１２＞
前記位置決め部材が中空の角柱体形状を有しており、角柱体における側面の一部が前記結合部として前記清掃基布と結合しており、
前記位置決め部材は折り畳むことができるようになっている前記＜４＞、＜６＞、＜８＞、＜９＞、＜１０＞又は＜１１＞に記載の清掃シート。
＜１３＞
前記位置決め部材が中空又は中実の柱体状部材からなり、該柱体状部材の横断面の長さが前記清掃基布の厚みよりも大きくなっており、該柱体状部材の側面が前記清掃基布によって被覆されている前記＜１＞に記載の清掃シート。
＜１４＞
前記位置決め部材は、長手方向と直交する断面の長さが、前記清掃基布の厚みよりも大きくなっている前記＜１３＞に記載の清掃シート。
＜１５＞
前記柱体状部材は四角柱形状を有しており、四角柱の高さ方向が前記清掃基布の長手方向に延びるように配置され、
前記清掃基布の第１面及び第２面のうちの該第１面から前記清掃基布の厚み方向に向けて突出して第１突出部を形成し、かつ前記第２面から前記清掃基布の厚み方向に向けて突出して第２突出部を形成している前記＜１３＞又は＜１４＞に記載の清掃シート。
＜１６＞
前記柱体状部材は円柱形状を有しており、円柱の高さ方向が前記清掃基布の長手方向に延びるように配置され、
前記清掃基布の第１面及び第２面のうちの該第１面から前記清掃基布の厚み方向に向けて突出して第１突出部を形成し、かつ前記第２面から前記清掃基布の厚み方向に向けて突出して第２突出部を形成している前記＜１３＞又は＜１４＞に記載の清掃シート。
【００５９】
＜１７＞
前記位置決め部材が、前記清掃ヘッドの底面に設けられた係合対象部位に押し込まれて係合されるようになっている前記＜１＞ないし＜１６＞のいずれか１に記載の清掃シート。
＜１８＞
前記位置決め部材の長手方向に沿う両端部の位置と、前記清掃基布の長手方向に沿う両端部の位置とが一致している前記＜１＞ないし＜１７＞のいずれか１に記載の清掃シート。
＜１９＞
前記一辺に沿って延びる前記位置決め部材の長さが、該一辺の長さよりも短くなっており、該位置決め部材の長手方向に沿う両端部よりも外方に前記清掃基布が延出している前記＜１＞ないし＜１７＞のいずれか１に記載の清掃シート。
＜２０＞
前記位置決め部材は前記清掃基布の前記一組の辺の少なくとも一辺と同位置に配置されている前記＜１＞ないし＜１９＞のいずれか１に記載の清掃シート。
＜２１＞
前記位置決め部材を複数有し、該位置決め部材が、前記清掃基布の一組の辺に沿って該一組の辺の両辺の位置にそれぞれ配置されている前記＜１＞ないし＜２０＞のいずれか１に記載の清掃シート。
【００６０】
＜２２＞
前記清掃基布が不織布からなる前記＜１＞ないし＜２１＞のいずれか１に記載の清掃シート。
＜２３＞
前記清掃基布がスパンレース不織布からなる前記＜１＞ないし＜２２＞のいずれか１に記載の清掃シート。
＜２４＞
前記清掃基布の坪量は、１０ｇ／ｍ２以上であることが好ましく、２０ｇ／ｍ２以上であることがより好ましく、３０ｇ／ｍ２以上であることが更により好ましく、また２００ｇ／ｍ２以下であることが好ましく、１５０ｇ／ｍ２以下であることがより好ましく、１００ｇ／ｍ２以下であることが更により好ましく、また前記清掃基布の坪量は１０ｇ／ｍ２以上２００ｇ／ｍ２以下であることが好ましく、２０ｇ／ｍ２以上１５０ｇ／ｍ２以下であることがより好ましく、３０ｇ／ｍ２以上１００ｇ／ｍ２以下であることが更により好ましい前記＜１＞ないし＜２３＞のいずれか１に記載の清掃シート。
＜２５＞
清掃ヘッドを有する清掃具と、該清掃ヘッドに取り付けられる清掃シートとを有する清掃用具であって、
前記清掃ヘッドの底面に少なくとも１本の清掃ロールが配置されており、前記清掃シートは、該清掃ロールを跨がないように取り付けられ、
前記清掃シートは、対向する一組の辺を少なくとも有する形状の清掃基布と、該清掃基布の一組の辺の少なくとも一辺の延びる方向と同方向に延びるように配置された位置決め部材とを有し、
該位置決め部材は、前記清掃基布よりも高剛性のものであり、かつ該清掃基布の厚み方向に向けて突出した突出部を有し、該突出部が、前記清掃ヘッドの前記清掃ロールに隣接し、かつ該清掃ロールの軸方向に沿って設けられた係合対象部位に押し込まれて係合されるようになっている清掃用具。
＜２６＞
前記清掃基布の厚み方向から見たとき、前記清掃基布は、前記位置決め部材の片側からのみ延出しており、反対側から延出している部位を有していない前記＜２５＞に記載の清掃用具。
【００６１】
＜２７＞
前記清掃基布の第１面及び第２面のうちの該第１面においてのみ位置決め部材を有している前記＜２５＞又は＜２６＞に記載の清掃用具。
＜２８＞
前記位置決め部材が、前記清掃基布の第１面及び第２面のうちの該第１面に、前記清掃基布との結合部を有し、
更に、該結合部と連接し、かつ前記清掃基布の前記第２の面から前記第１の面の方向に向けて前記清掃基布の厚み方向に突出した前記突出部を有する前記＜２５＞ないし＜２７＞のいずれか１に記載の清掃用具。
＜２９＞
前記結合部が第１面及びそれと反対側に位置する第２面を有しており、
前記突出部は、第１面及びそれと反対側に位置する第２面を有しており、
前記結合部における前記清掃基布と結合している第２面と反対側に位置する第１面と、該第１面と交差する前記突出部における第１面とのなす角度θが好ましくは４５度以上、より好ましくは５０度以上であり、また、好ましくは９０度以下、より好ましくは８０度以下である前記＜２８＞に記載の清掃用具。
＜３０＞
前記位置決め部材が中空又は中実の柱体形状を有しており、柱体における側面の一部が前記結合部として前記清掃基布と結合する前記＜２８＞に記載の清掃用具。
＜３１＞
前記位置決め部材が中空又は中実の円柱形状を有しており、円柱の高さ方向が前記清掃基布の長手方向に延びるように配置され、
前記円柱における側面の一部が前記結合部として前記清掃基布と結合し、前記側面の前記一部以外の部位が前記突出部を構成している前記＜２８＞又は＜３０＞に記載の清掃用具。
【００６２】
＜３２＞
前記位置決め部材が中空又は中実の四角柱形状を有しており、四角柱の高さ方向が前記清掃基布の長手方向に延びるように配置され、前記四角柱における一つの側面が前記結合部として前記清掃基布と結合し、前記一つの側面以外の側面が前記突出部を構成している前記＜２８＞又は＜３０＞に記載の清掃用具。
＜３３＞
前記四角柱は、厚み方向Ｚが幅方向Ｙよりも長くなっている前記＜３２＞に記載の清掃用具。
＜３４＞
前記四角柱は正四角柱である前記＜３２＞に記載の清掃用具。
＜３５＞
前記位置決め部材が、中空の四角柱形状で、かつ四角柱の底面が平行四辺形状を有しており、四角柱の高さ方向が前記清掃基布の長手方向に延びるように配置され、
前記四角柱における一つの側面が前記結合部として前記清掃基布と結合し、前記一つの側面以外の側面が前記突出部を構成し、
前記突出部を構成する前記側面のうち前記清掃基布の厚み方向に突出する側面が前記清掃基布の幅方向の内方に向けて傾斜している前記＜２８＞、＜３０＞、＜３２＞又は＜３３＞に記載の清掃用具。
＜３６＞
前記位置決め部材が中空の角柱体形状を有しており、角柱体における側面の一部が前記結合部として前記清掃基布と結合しており、
前記位置決め部材は折り畳むことができるようになっている前記＜２８＞、＜３０＞、＜３２＞、＜３３＞、＜３４＞又は＜３５＞に記載の清掃用具。
【００６３】
＜３７＞
前記位置決め部材が中空又は中実の柱体状部材からなり、該柱体状部材の横断面の長さが前記清掃基布の厚みよりも大きくなっており、該柱体状部材の側面が前記清掃基布によって被覆されている前記＜２５＞に記載の清掃用具。
＜３８＞
前記位置決め部材は、長手方向と直交する断面の長さが、前記清掃基布の厚みよりも大きくなっている前記＜３７＞に記載の清掃用具。
＜３９＞
前記柱体状部材は四角柱形状を有しており、四角柱の高さ方向が前記清掃基布の長手方向に延びるように配置され、
前記清掃基布の第１面及び第２面のうちの該第１面から前記清掃基布の厚み方向に向けて突出して第１突出部を形成し、かつ前記第２面から前記清掃基布の厚み方向に向けて突出して第２突出部を形成している前記＜３７＞又は＜３８＞に記載の清掃用具。
＜４０＞
前記柱体状部材は円柱形状を有しており、円柱の高さ方向が前記清掃基布の長手方向に延びるように配置され、
前記清掃基布の第１面及び第２面のうちの該第１面から前記清掃基布の厚み方向に向けて突出して第１突出部を形成し、かつ前記第２面から前記清掃基布の厚み方向に向けて突出して第２突出部を形成している前記＜３７＞又は＜３８＞に記載の清掃用具。
＜４１＞
前記位置決め部材が、前記清掃ヘッドの底面に設けられた係合対象部位に押し込まれて係合されるようになっている前記＜２５＞ないし＜４０＞のいずれか１に記載の清掃用具。
【００６４】
＜４２＞
前記位置決め部材の長手方向に沿う両端部の位置と、前記清掃基布の長手方向に沿う両端部の位置とが一致している前記＜２５＞ないし＜４１＞のいずれか１に記載の清掃用具。
＜４３＞
前記一辺に沿って延びる前記位置決め部材の長さが、該一辺の長さよりも短くなっており、該位置決め部材の長手方向に沿う両端部よりも外方に前記清掃基布が延出している前記＜２５＞ないし＜４１＞のいずれか１に記載の清掃用具。
＜４４＞
前記位置決め部材は前記清掃基布の前記一組の辺の少なくとも一辺と同位置に配置されている前記＜２５＞ないし＜４３＞のいずれか１に記載の清掃用具。
＜４５＞
前記位置決め部材を複数有し、該位置決め部材が、前記清掃基布の一組の辺に沿って該一組の辺の両辺の位置にそれぞれ配置されている前記＜２５＞ないし＜４４＞のいずれか１に記載の清掃用具。
＜４６＞
前記清掃基布が不織布からなる前記＜２５＞ないし＜４５＞のいずれか１に記載の清掃用具。
【００６５】
＜４７＞
前記清掃基布がスパンレース不織布からなる前記＜１＞ないし＜４６＞のいずれか１に記載の清掃用具。
＜４８＞
前記清掃基布の坪量は、１０ｇ／ｍ２以上であることが好ましく、２０ｇ／ｍ２以上であることがより好ましく、３０ｇ／ｍ２以上であることが更により好ましく、また２００ｇ／ｍ２以下であることが好ましく、１５０ｇ／ｍ２以下であることがより好ましく、１００ｇ／ｍ２以下であることが更により好ましく、また前記清掃基布の坪量は１０ｇ／ｍ２以上２００ｇ／ｍ２以下であることが好ましく、２０ｇ／ｍ２以上１５０ｇ／ｍ２以下であることがより好ましく、３０ｇ／ｍ２以上１００ｇ／ｍ２以下であることが更により好ましい前記＜２５＞ないし＜４７＞のいずれか１に記載の清掃用具。
＜４９＞
前記清掃ヘッドの底面に２本の前記清掃ロールが配置されており、
２本の前記清掃ロールの間に一対の係合対象部位が、それぞれ前記清掃ロールに隣接するように配されており、
前記清掃シートは、前記清掃基布の前記一組の辺の両辺の位置に前記位置決め部材を有している前記＜２５＞ないし＜４８＞のいずれか１に記載の清掃用具。
＜５０＞
前記清掃ヘッドの底面に１本の前記清掃ロールが配置されており、
前記清掃ヘッドの上面に前記清掃シートを固定する固定部が配置され、
前記清掃シートは、前記清掃基布の前記一組の辺のうちの一辺の位置にのみ前記位置決め部材を有しており、
前記位置決め部材は前記係合対象部位に係合され、前記位置決め部材を有している辺と反対側の端部域の前記清掃基布は前記固定部に固定されるようになっている前記＜２５＞ないし＜４８＞のいずれか１に記載の清掃用具。
【符号の説明】
【００６６】
１０  清掃具
３０  清掃ヘッド
５０  清掃ロール
１００  清掃シート
１１１  清掃基布
１１２ａ，１１２ｂ  第１辺部
１１３ａ，１１３ｂ  第２辺部
１１４ａ  第１面
１１４ｂ  第２面
１２０ａ，１２０ｂ  位置決め部材
１２１  結合部
１２１ａ  第１面
１２１ｂ  第２面
１２２ａ，１２２ｂ  第１辺部
１２３  突出部
１２４ａ  第１面
１２４ｂ  第２面
１２５ａ，１２５ｂ  第１辺部
【図１】
2015116420.tif 000003
【図２】
2015116420.tif 000004
【図３】
2015116420.tif 000005
【図４】
2015116420.tif 000006
【図５】
2015116420.tif 000007
【図６】
2015116420.tif 000008
【図７】
2015116420.tif 000009
【図８】
2015116420.tif 000010
【図９】
2015116420.tif 000011
【図１０】
2015116420.tif 000012
【図１１】
2015116420.tif 000013
【図１２】
2015116420.tif 000014